【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  発信者を識別するための発信者識別信号を登録した記憶手段を備え、所定の通信回線より通信呼び出し信号に先立って入力される発信者識別信号と、上記記憶手段に登録された発信者識別信号とを比較し、入力される発信者識別信号と一致するものがある場合には、電源制御信号を出力し、入力される発信者識別信号と一致するものがない場合には、上記通信回路を他の通信装置と接続する分配器と、
該分配器から入力される電源制御信号に応じて、これに接続される所定の装置の電源のオンまたはオフの制御を行う電源制御部とを備えたことを特徴とする電源制御装置。
【請求項２】  請求項１に記載の電源制御装置において、
上記記憶手段は、複数の発信者識別信号を登録しており、
上記分配器は、入力される発信者識別信号と一致する上記記憶手段に登録された発信者識別信号にそれぞれ対応した電源制御信号を出力し、
上記電源制御部は、入力される各電源制御信号に応じて、電源をオンする制御とオフする制御とを行うことを特徴とする電源制御装置。
【請求項３】  請求項２に記載の電源制御装置において、
上記記憶手段は、この電源制御装置により電源オンまたはオフの制御が行われる上記所定の装置の所定の処理に対応した発信者識別信号を登録しており、
上記分配器は、登録された発信者識別信号と、入力される発信者識別信号とが一致する場合には、この一致した発信者識別信号に対応する上記所定の処理を上記所定の装置に行わせるための制御信号を上記所定の装置に出力することを特徴とする電源制御装置。
【請求項４】  請求項１に記載の電源制御装置において、
上記分配器は、所定の通信回線より発信者識別信号に続いて入力される通信呼び出し信号による通信の呼び出し時間をカウントするカウント手段を備え、
上記記憶手段は、通信呼び出し時間の情報を複数登録しており、
上記分配器は、入力される発信者識別信号と一致する発信者識別信号が登録されている場合には、カウント手段のカウント結果と、記憶手段に登録されている通信呼び出し時間情報とを比較して、一致した通信呼び出し時間情報に対応した電源制御信号を出力し、
上記電源制御部は、入力される各電源制御信号に応じて、電源をオンする制御、またはオフする制御のいずれかを行うことを特徴とする電源制御装置。
【請求項５】  請求項４に記載の電源制御装置において、
上記記憶手段は、この電源制御装置により電源オンまたはオフの制御が行われる上記所定の装置の所定の処理に対応した通信呼び出し時間の情報を登録しており、
上記分配器は、上記カウント手段のカウント結果が、上記記憶手段に登録されている上記所定の装置の所定の処理に対応した通信呼び出し時間情報と一致した場合に、この一致した呼び出し時間に対応する所定の動作を上記所定の装置に行わせるための制御信号を上記所定の装置に出力することを特徴とする電源制御装置。
【請求項６】  請求項１に記載の電源制御装置において、
上記所定の装置の所定の動作が終了したことを判別して、上記所定の装置の電源をオフにするための電源制御信号を上記電源制御部に出力する終了判別手段を備えたことを特徴とする電源制御装置。
【請求項７】  請求項１に記載の電源制御装置において、
上記電源制御装置は、所定の時間設定に基づいて、電源をオンする制御を行うための電源制御信号またはオフする制御を行うための電源制御信号を上記電源制御部に出力する、時間管理が可能な手段を備えたことを特徴とする電源制御装置。
【請求項８】  ディジタル放送の放送データを受信する受信手段と、
発信者を識別するための発信者識別信号を登録した記憶手段を備え、所定の通信回線より通信呼び出し信号に先立って入力される発信者識別信号と、上記記憶手段に登録された発信者識別信号とを比較し、入力される発信者識別信号と一致するものがある場合には、電源制御信号を出力し、入力される発信者識別信号と一致するものがない場合には、上記通信回線を他の通信装置と接続する分配器と、該分配器から入力される電源制御信号に応じて、上記受信手段の電源のオンまたはオフのいずれかの制御を行う電源制御部とを備えたことを特徴とするディジタル放送受信システム。
【請求項９】  請求項８に記載のディジタル放送受信システムにおいて、
上記記憶手段は、複数の発信者識別信号を登録しており、
上記分配器は、入力される発信者識別信号と一致する上記記憶手段に登録された発信者識別信号にそれぞれ対応した電源制御信号を出力し、
上記電源制御部は、入力される各電源制御信号に応じて、電源をオンする制御とオフする制御とを行うことを特徴とするディジタル放送送受信システム。
【請求項１０】  請求項９に記載のディジタル放送受信システムにおいて、
上記受信手段は、所定の通信回線を通じて所定の送信先にディジタル放送の受信に伴って発生する課金情報を送信する送信手段を備え、
上記記憶手段は、上記受信手段の上記課金情報を送信する処理の実行に対応した発信者識別信号を登録しており、
上記分配器は、この課金情報を送信させる動作に対応した発信者識別信号と、入力される発信者識別信号とが一致する場合に、上記受信手段に対して課金情報の送信を上記送信手段を用いて実行させるための制御信号を出力することを特徴とするディジタル放送受信システム。
【請求項１１】  請求項８に記載のディジタル放送受信システムにおいて、
上記分配器は、上記所定の通信回線より発信者識別信号に続いて入力される通信呼び出し信号による呼び出し時間をカウントするカウント手段を備え、
上記記憶手段は、通信呼び出し時間の情報を複数登録しており、
上記分配器は、入力される発信者識別信号と一致する発信者識別信号が登録されている場合には、カウント手段のカウント結果と、記憶手段に登録されている通信呼び出し時間情報とを比較して、一致した通信呼び出し時間情報に対応した電源制御信号をそれぞれ出力し、
上記電源制御部は、入力される各電源制御信号に応じて、電源のオンまたはオフのいずれかの制御を行うことを特徴とするディジタル放送受信システム。
【請求項１２】  請求項１１に記載のディジタル放送受信システムにおいて、
上記受信手段は、所定の通信回線を通じて所定の送信先に、ディジタル放送の受信に伴って発生する課金情報を送信する送信手段を備え、
上記記憶手段は、上記受信手段の上記課金情報を送信させる処理に対応した通信呼び出し時間の情報を登録しており、
上記分配器は、上記記憶手段に登録されている課金情報を送信させる動作に対応した呼び出し時間情報と、上記カウント手段のカウント結果とが一致する場合に、上記受信手段に対して課金情報の送信を上記送信手段を用いて行わせるための制御信号を出力することを特徴とするディジタル放送受信システム。
【請求項１３】  請求項８に記載のディジタル放送受信システムにおいて、
上記受信手段の所定の動作が終了したことを判別して、上記受信手段の電源をオフにするための電源制御信号を、上記電源制御部に出力する終了判別手段を備えたことを特徴とするディジタル放送受信システム。
【請求項１４】  通信呼び出し時に発信者を識別するための発信者識別信号と通信呼び出し信号とを順次発信する通信回線にそれぞれ接続され、この通信回線とは異なる所定の通信手段により所定の送信装置が個人宛情報を個人に送信する際の送信開始の状態または送信終了の状態の少なくともいずれかに対応して設けられた、通信呼び出しが可能な通知手段と、
上記個人宛情報の送信開始前または送信終了後の少なくともいずれかに、上記通信回線上における上記個人の送信先を識別し、送信開始または送信終了の状態に対応した上記通知手段に通信呼び出しを行わせる送信先識別手段とを備えたことを特徴とする送信通知装置。
【請求項１５】  請求項１４に記載された送信通知装置において、
上記送信開始または送信終了とは異なる所定の処理に対応した、上記通信回線に接続された、通信呼び出しの可能な通知手段を備えており、
上記送信先識別手段は、上記個人に所定の処理の実行を指示する際に、上記個人の送信先を識別して、上記所定の処理に対応した通知手段に通信呼び出しを行わせることを特徴とする送信通知手段。
【請求項１６】  通信呼び出し時に発信者を識別するための発信者識別信号と通信呼び出し信号とを順次発信する通信回線に接続され、通信呼び出し時の呼び出し時間をカウントするカウント手段を備えた、通信呼び出し可能な通知手段と、
上記通信回線とは異なる所定の通信手段により所定の送信装置が個人宛情報を個人に送信する際の送信開始前または送信終了後の少なくともいずれかに、上記通信回線上における上記個人の送信先を識別して、上記通知手段に通信呼び出しを行わせるとともに、その通信呼び出し時間を上記カウント手段を用いてカウントさせ、通信呼び出し時間が、上記送信開始または送信終了の状態に対応してあらかじめ設定された所定の時間となった時点で、通信呼び出しを終了させる送信先識別手段とを備えたことを特徴とする送信通知装置。
【請求項１７】  請求項１６に記載の送信通知装置において、
上記送信先識別手段は、上記送信先に所定の処理の実行を指示する際に、上記通知手段により上記送信先に送信呼び出しを行わせるとともに、その通信呼び出し時間を上記カウント手段を用いてカウントさせ、その通信呼び出し時間が、上記所定の処理に対応した呼び出し時間となった時点で、通信呼び出しを終了させることを特徴とする送信通知装置。
【請求項１８】  ディジタル放送の放送データを送信する送信手段と、通信呼び出し時に発信者を識別するための発信者識別信号と通信呼び出し信号とを順次発信する、上記ディジタル放送とは異なる通信回線にそれぞれ接続され、上記送信手段が個人宛情報を個人に送信する際の送信開始の状態または送信終了の状態の少なくともいずれかに対応して設けられた、通信呼び出しが可能な通知手段と、上記個人宛情報の送信開始前または送信終了後の少なくともいずれかに、上記通信回線上における上記個人の送信先を識別し、送信開始または送信終了の状態に対応した上記通知手段に通信呼び出しを行わせる送信先識別手段とを有するディジタル放送送信システムと、
上記ディジタル放送の放送データを受信する受信手段と、上記送信開始または送信終了の少なくともいずれかに対応した通知手段の発信者識別信号を登録した記憶手段を備え、上記通知手段からの通信呼び出し時に、上記所定の通信回線より通信呼び出し信号に先立って入力される発信者識別信号と、上記記憶手段に登録された発信者識別信号とを比較し、入力される発信者識別信号と上記登録された送信開始または送信終了の少なくともいずれかに対応した発信者識別信号とが一致する場合には、一致した発信者識別信号に対応した電源制御信号を出力し、入力される発信者識別信号と一致するものがない場合には、上記通信回線を他の通信装置と接続する分配器と、該分配器から入力される電源制御信号が送信開始に対応した発信者識別信号によるものである場合には、上記受信手段の電源のオンの制御を行い、送信終了に対応した発信者識別信号によるものである場合には、上記受信手段の電源のオフの制御を行う電源制御部とを有するディジタル放送受信システムとを備えたことを特徴とするディジタル放送送受信システム。
【請求項１９】  請求項１８に記載されたディジタル放送送受信システムにおいて、
上記ディジタル放送送受信システムは、上記送信開始または送信終了とは異なる所定の処理に対応した、上記通信回線に接続された、通信呼び出しの可能な通知手段を備えており、
上記送信先識別手段は、上記個人に所定の処理の実行を指示する際に、上記個人の送信先を識別して、上記所定の処理に対応した通知手段に通信呼び出しを行わせることを特徴とするディジタル放送送受信システム。
【請求項２０】  請求項１８に記載のディジタル放送送受信装置において、
上記ディジタル放送送信システムは、上記受信手段にディジタル放送の受信に伴って発生する課金情報の送信を指示するために通信呼び出しを行う課金情報送信通知手段を備えており、
上記記憶手段は、上記課金情報送信通知手段からの通信呼び出しの際に送信される発信者識別信号を登録しており、
上記受信手段は、所定の通信回線を通じて所定の送信先に課金情報を送信する課金情報送信手段を備え、
上記分配器は、上記登録された課金情報通知手段からの発信者識別信号と、入力される発信者識別信号とが一致する場合に、上記課金情報送信手段を用いた課金情報の送信を受信手段に実行させるための制御信号を上記受信手段に出力することを特徴とするディジタル放送送受信システム。
【請求項２１】  ディジタル放送の放送データを送信する送信手段と、通信呼び出し時に発信者を識別するための発信者識別信号と通信呼び出し信号とを順次発信する通信回線に接続され、通信呼び出し時の呼び出し時間をカウントする第１のカウント手段を備えた、通信呼び出し可能な通知手段と、
ディジタル放送により送信手段が個人宛情報を個人に送信する際の送信開始前または送信終了後の少なくともいずれかに、上記通信回線上における上記個人の送信先を識別して、上記通知手段に通信呼び出しを行わせるとともに、その通信呼び出し時間を上記第１のカウント手段を用いてカウントさせ、通信呼び出し時間が、上記送信開始または送信終了の状態に対応してあらかじめ設定された所定の時間となった時点で、通信呼び出しを終了させる送信先識別手段とを有するディジタル放送送信システムと、
上記ディジタル放送の放送データを受信する受信手段と、上記送信開始または送信終了の少なくともいずれかに対応した呼び出し時間の情報及び上記発信者識別信号を登録した記憶手段，及び上記通信回線より発信者識別信号に続いて入力される通信呼び出し信号の呼び出し時間をカウントする第２のカウント手段を有し、上記通信回線より通信呼び出し信号に先立って入力される発信者識別信号と、上記記憶手段に登録された発信者識別信号とを比較し、入力される発信者識別信号と上記登録された発信者識別信号とが一致する場合には、上記第２のカウント手段のカウント結果と、上記記憶手段に登録されている送信開始と送信終了に対応した通信呼び出し時間情報とを比較して、一致した通信呼び出し時間情報に対応した電源制御信号を出力し、入力される発信者識別信号と一致するものがない場合には、上記通信回線を他の通信装置と接続する分配器と、該分配器から入力される電源制御信号が送信開始に対応したものである場合には、上記受信手段の電源のオンの制御を行い、送信終了に対応したものである場合には、上記受信手段の電源オンの制御を行う電源制御部とを有するディジタル放送受信システムとを備えたことを特徴とするディジタル放送送受信システム。
【請求項２２】  請求項２１に記載のディジタル放送送受信システムにおいて、
上記送信先識別手段は、上記個人宛情報の送信先に所定の処理の実行を指示する際に、上記通知手段により上記送信先に送信呼び出しを行わせるとともに、その通信呼び出し時間を上記第１のカウント手段を用いてカウントさせ、その通信呼び出し時間が、上記所定の処理に対応した呼び出し時間となった時点で、通信呼び出しを終了させるものであり、
上記記憶手段は、上記所定の処理の実行を指示するために行われる通信呼び出しの呼び出し時間の情報を登録しており、
上記分配器は、上記第２のカウント手段のカウント結果と、上記登録されている通信呼び出しの呼び出し時間の情報とを比較して、一致する場合に、上記受信手段に所定の処理の実行を指示する制御信号を出力することを特徴とするディジタル放送送受信システム。
【請求項２３】  請求項２１に記載のディジタル放送送受信システムにおいて、
上記送信先識別手段は、上記個人宛情報の送信先にディジタル放送の受信に伴って発生する課金情報を送信させる際に、上記通知手段により上記送信先に送信呼び出しを行わせるとともに、その通信呼び出し時間を上記第１のカウント手段を用いてカウントさせ、その通信呼び出し時間が、上記課金情報の送信に対応した呼び出し時間となった時点で、通信呼び出しを終了させるものであり、
上記受信手段は、所定の通信回線を通じて所定の送信先に課金情報を送信する課金情報送信手段を備え、
上記記憶手段は、上記課金情報を送信させるために行われる通信呼び出しの呼び出し時間の情報を登録しており、
上記分配器は、上記第２のカウント手段のカウント結果と、上記登録されている課金情報送信のために行われる通信呼び出しの呼び出し時間情報とを比較して、一致する場合に、上記課金情報送信手段を用いて課金情報を送信するよう、上記受信手段に対して指示する制御信号を出力することを特徴とするディジタル放送送受信システム。
【請求項２４】  発信者を識別するための発信者識別信号を登録した記憶手段と、
所定の装置の電源状態を識別しこれを保持する電源状態識別手段と、
所定の通信回線による通信を遮断する通信遮断手段とを備え、
上記所定の通信回線より通信呼び出し信号に先立って入力される発信者識別信号と、上記記憶手段に登録された発信者識別手段とを比較し、入力される発信者識別信号と一致するものがある場合には、上記電源状態識別手段に保持されている識別情報に基づいて上記所定の装置の電源状態が所定の状態にあるか否かを判断し、上記識別手段により上記所定の装置が所定の電源状態にあると判断される場合に、上記通信回線による通信を上記通信遮断手段により遮断し、一致するものがない場合には、上記通信回線を他の通信装置と接続することを特徴とする電源状態識別装置。
【請求項２５】  発信者を識別するための発信者識別信号を登録した記憶手段と、
所定の装置の電源状態を識別し、この識別情報を保持する電源状態識別手段と、
所定の通信回線より発信者識別信号に続いて入力される通信呼び出し信号による呼び出し時間をカウントするカウント手段と、
上記所定の通信回線による通信を遮断する通信遮断手段とを備え、
上記所定の通信回線より入力される発信者識別信号と、上記記憶手段に登録された発信者識別手段とを比較し、入力される発信者識別信号と一致するものがある場合には、上記電源状態識別手段に保持されている識別情報を基に上記所定の装置の電源状態を判断し、通信呼び出し信号を上記カウント手段でカウントし、上記電源状態に応じて、カウントした呼び出し時間が所定の時間になった時点で上記通信遮断手段により通信を遮断し、一致するものがない場合には、上記通信回線を他の通信装置と接続することを特徴とする電源状態識別装置。
【請求項２６】  所定の送信先に通信呼び出しを行う、通信呼び出し時に発信者を識別するための発信者識別信号と通信呼び出し信号とを順次発信する通信回線に接続された通知手段と、
送信先によって上記通知手段による通信が遮断されたか否かを判別可能な判別手段とを備えたことを特徴とする通信遮断判別装置。
【請求項２７】  所定の送信先に通信呼び出しを行う、通信呼び出し時に発信者を識別するための発信者識別信号と通信呼び出し信号とを順次発信する通信回線に接続された通知手段と、
送信先によって上記通知手段による通信が遮断されたか否かを判別できるとともに、上記通知手段による通信の呼び出し信号が遮断されるまでの通信呼び出し時間をカウントできる判別手段とを備えたことを特徴とする通信遮断判別装置。
【請求項２８】ディジタル放送の放送データを送信する送信手段と、通信呼び出し時に発信者を識別するための発信者識別信号と通信呼び出し信号とを順次発信する、上記ディジタル放送とは異なる通信回線に接続された通知手段と、上記ディジタル放送を通じて、個人に個人宛情報を送信する際に、上記通信回線上における上記個人の送信先を識別し、上記通知手段に、上記個人の送信先に通信呼び出しを行わせる送信先識別手段と、上記個人の送信先によって上記通知手段による通信呼び出しが遮断されたか否かを判別可能な判別手段とを備えたディジタル放送送信システムと、
ディジタル放送の放送データを受信する受信手段と、上記通知手段からの通信呼び出しを識別するための発信者識別信号を登録した記憶手段、上記受信手段の電源状態を識別し保持する電源状態識別手段、及び上記通信回線による通信を遮断する通信遮断手段を備え、上記通信回線より通信呼び出し信号に先立って入力される発信者識別信号と、上記記憶手段に登録された発信者識別信号とを比較し、入力される発信者識別信号と一致するものがある場合には、上記電源状態識別手段に保持されている電源状態の識別情報に基づいて受信手段の電源状態が所定の状態であるか否かを判断し、所定の状態にあると判断される場合に、上記所定の通信回線による通信を遮断し、一致するものがない場合には、上記所定の通信回線を他の通信装置と接続する電源状態識別装置とを有するディジタル放送受信システムとを備え、
上記判別手段は、上記受信手段の電源状態と通信呼び出しの遮断の有無との関係を示す情報を登録しており、該登録された情報と上記通信呼び出しの遮断結果とを比較して上記受信手段の電源状態を判断し、
上記送信手段は、上記判別手段により判別された受信手段の電源状態に基づいて、個人宛情報を送信するか否かを決定することを特徴とするディジタル放送送受信システム。
【請求項２９】  ディジタル放送の放送データを送信する送信手段と、通信呼び出し時に発信者を識別するための発信者識別信号と通信呼び出し信号とを順次発信する、上記ディジタル放送とは異なる通信回線に接続された通知手段と、上記ディジタル放送を通じて、個人に個人宛情報を送信する際に、上記通信回線上における上記個人の送信先を識別し、上記通知手段に、上記個人の送信先に通信呼び出しを行わせる送信先識別手段と、上記個人の送信先によって上記通知手段による通信が遮断されたか否かを判別できるとともに、上記通知手段による通信の呼び出し信号が遮断されるまでの通信呼び出し時間をカウントできる判別手段とを備えたディジタル放送送信システムと、
ディジタル放送の放送データを受信する受信手段と、上記通知手段からの通信呼び出しを識別するための発信者識別信号を登録した記憶手段、上記受信手段の電源状態を識別し保持する電源状態識別手段、上記通信回線より発信者識別信号に続いて入力される通信呼び出し信号の呼び出し時間をカウントするカウント手段、及び上記通信回線による通信を遮断する通信遮断手段を備え、上記通信回線より入力される発信者識別信号と、上記記憶手段に登録された発信者識別信号とを比較し、入力される発信者識別信号と一致するものがある場合には、通信呼び出し信号を上記カウント手段でカウントし、上記電源状態識別手段に保持されている識別情報を基に、上記受信手段の電源状態を判断し、上記カウント手段によりカウントした通信呼び出し時間が上記電源状態に応じた所定の呼び出し時間になった時点で上記通信遮断手段により通信を遮断し、一致するものがない場合には、通信回線を他の通信装置と接続する電源状態識別装置を有するディジタル放送受信システムとからなり、
上記判別手段は、上記受信手段の電源状態と通信呼び出しが遮断されるまでの呼び出し時間との関係を示す情報を登録しており、該登録された情報と上記通信呼び出しの遮断結果とを比較して上記受信手段の電源状態を判断するものであり、
上記送信手段は、上記判別手段により判別された受信手段の電源状態に基づいて、個人宛情報を送信するか否かを決定するものであることを特徴とするディジタル放送送受信システム。
【請求項３０】  通信呼び出し時に発信者を識別するための発信者識別信号と通信呼び出し信号とを順次発信する通信回線に接続され、所定の装置の状態が所定の状態に変化する直前または直後のいずれかに、上記所定の状態にそれぞれ対応した互いに異なる所定の通信先に対して通信呼び出しを行うことを特徴とする状態通知装置。
【請求項３１】  通信呼び出し時に発信者を識別するための発信者識別信号と通信呼び出し信号とを順次発信する通信回線に接続され、所定の装置の状態が所定の状態に変化する直前または直後のいずれかに、通信呼び出しの時間が、上記所定の状態にそれぞれ対応した所定の時間となるよう、所定の送信先に対して通信呼び出しを行うことを特徴とする状態通知装置。
【請求項３２】  所定の通信回線から通知される発信者識別信号より発信者を識別する、発信者の所定の状態に対応して設けられた複数の識別手段と、
上記複数の識別手段のうちで同じ発信者からの最新の通知を受けた識別手段を判別し、発信者がこの識別手段に対応した上記所定の状態にあることを認識する情報認識手段とを備えたことを特徴とする状態認識装置。
【請求項３３】  所定の通信回線から通知される発信者識別信号より発信者を識別する識別手段と、
上記発信者識別信号に続いて入力される発信者の所定の状態に対応した長さの通信呼び出し信号の呼び出し時間をカウントするカウント手段と、
上記識別手段とカウント手段の出力に基づいて、同じ発信者からの最新の通信呼び出し信号の呼び出し時間を判別し、発信者がこの呼び出し時間に対応した上記所定の状態にあることを認識する情報認識手段とを備えたことを特徴とする状態認識装置。
【請求項３４】  通信呼び出し時に発信者を識別するための発信者識別信号と通信呼び出し信号とを順次発信する通信回線に接続され、所定の装置の状態が所定の状態に変化する直前または直後のいずれかに、上記所定の状態にそれぞれ対応した互いに異なる所定の通信先に対して通信呼び出しを行う状態通知装置と、
上記通信回線から通知される発信者識別信号より発信者を識別する、上記所定の装置の所定の状態に対応して設けられた複数の識別手段と、上記複数の識別手段のうちで同じ発信者からの最新の通知を受けた識別手段を判別し、上記所定の装置がこの識別手段に対応した上記所定の状態にあることを認識する情報認識手段とを有する状態認識装置とを備えたことを特徴とする状態認識システム。
【請求項３５】  通信呼び出し時に発信者を識別するための発信者識別信号と通信呼び出し信号とを順次発信する通信回線に接続され、所定の装置の状態が所定の状態に変化する直前または直後のいずれかに、通信呼び出しの時間が、上記所定の状態にそれぞれ対応した所定の時間となるよう、所定の送信先に対して通信呼び出しを行う状態通知装置と、
上記通信回線から通知される発信者識別信号より発信者を識別する識別手段と、上記発信者識別信号に続いて入力される上記所定の装置の所定の状態に対応した長さの通信呼び出し信号の呼び出し時間をカウントするカウント手段と、上記識別手段の出力とカウント手段のカウント結果に基づいて、同じ発信者からの最新の通信呼び出し信号の呼び出し時間を判別し、上記所定の装置がこの呼び出し時間に対応した上記所定の状態にあることを認識する情報認識手段とを有する状態認識装置とを備えたことを特徴とする状態認識システム。
【請求項３６】  ディジタル放送の放送データを受信する受信手段と、通信呼び出し時に発信者を識別するための発信者識別信号と通信呼び出し信号とを順次発信する通信回線に接続され、上記受信手段がオン状態に変化する直後または受信手段の電源の状態がオフ状態に変化する直前のいずれかに、上記受信手段のオン状態及びオフ状態にそれぞれ対応した互いに異なる所定の通信先に対して通信呼び出しを行うディジタル放送受信システムと、
上記ディジタル放送の放送データを送信する送信手段と、上記通信回線から通知される発信者識別信号より発信者を識別する、上記受信手段のオン状態及びオフ状態に対応して設けられた複数の識別手段と、上記複数の識別手段のうちで同じ発信者からの最新の通知を受けた識別手段を判別し、上記所定の装置がこの識別手段に対応した上記オンまたはオフのいずれかの状態にあることを認識する情報認識手段とを有し、上記受信手段がオフ状態の時には、上記発信者に個人宛情報をディジタル放送を介して送信しないように上記送信手段を制御するディジタル放送送信システムとを備えたことを特徴とするディジタル放送送受信システム。
【請求項３７】  ディジタル放送の送信データを受信する受信手段と、通信呼び出し時に発信者を識別するための発信者識別信号と通信呼び出し信号とを順次発信する通信回線に接続され、上記受信手段がオン状態に変化する直後または受信手段の電源の状態がオフ状態に変化する直前のいずれかに、通信呼び出しの時間が、上記受信手段のオン状態及びオフ状態にそれぞれ対応した所定の時間となるよう、所定の送信先に対して通信呼び出しを行うディジタル放送送受信システムと、
上記ディジタル放送の放送データを送信する送信手段と、上記通信回線から通知される発信者識別信号より発信者を識別する識別手段と、上記発信者識別信号に続いて入力される通信呼び出し信号の呼び出し時間をカウントするカウント手段と、上記識別手段の出力とカウント手段のカウント結果とに基づいて、同じ発信者からの最新の通信呼び出し信号の呼び出し時間を判別し、上記受信装置がこの呼び出し時間に対応したオンまたはオフのいずれかの状態にあることを認識する情報認識手段とを有し、上記受信手段がオフ状態の時には、上記発信者に個人宛情報をディジタル放送を介して送信しないように上記送信手段を制御するディジタル放送送信システムとを備えたことを特徴とするディジタル放送送受信システム。
【手続補正２】
【補正対象書類名】明細書
【補正対象項目名】００１８
【補正方法】変更
【補正の内容】
【００１８】
また、上記記憶手段は、この電源制御装置により電源オンまたはオフの制御が行われる上記所定の装置の所定の処理に対応した発信者識別信号を登録しており、上記分配器は、登録された発信者識別信号と、入力される発信者識別信号とが一致する場合には、この一致した発信者識別信号に対応する上記所定の処理を上記所定の装置に行わせるための制御信号を上記所定の装置に出力するようにしたものである。
【手続補正３】
【補正対象書類名】明細書
【補正対象項目名】００１９
【補正方法】変更
【補正の内容】
【００１９】
また、上記分配器は、所定の通信回線より発信者識別信号に続いて入力される通信呼び出し信号による通信の呼び出し時間をカウントするカウント手段を備え、上記記憶手段は、通信呼び出し時間の情報を複数登録しており、上記分配器は、入力される発信者識別信号と一致する発信者識別信号が登録されている場合には、カウント手段のカウント結果と、記憶手段に登録されている通信呼び出し時間情報とを比較して、一致した通信呼び出し時間情報に対応した電源制御信号を出力し、上記電源制御部は、入力される各電源制御信号に応じて、電源をオンする制御、またはオフする制御のいずれかを行うようにしたものである。
【手続補正４】
【補正対象書類名】明細書
【補正対象項目名】００２０
【補正方法】変更
【補正の内容】
【００２０】
また、上記記憶手段は、この電源制御装置により電源オンまたはオフの制御が行われる上記所定の装置の所定の処理に対応した通信呼び出し時間の情報を登録しており、上記分配器は、上記カウント手段のカウント結果が、上記記憶手段に登録されている上記所定の装置の所定の処理に対応した通信呼び出し時間情報と一致した場合に、この一致した呼び出し時間に対応する所定の動作を上記所定の装置に行わせるための制御信号を上記所定の装置に出力するようにしたものである。
【手続補正５】
【補正対象書類名】明細書
【補正対象項目名】００２１
【補正方法】変更
【補正の内容】
【００２１】
また、上記所定の装置の所定の動作が終了したことを判別して、上記所定の装置の電源をオフにするための電源制御信号を上記電源制御部に出力する終了判別手段を備えるようにしたものである。
【手続補正６】
【補正対象書類名】明細書
【補正対象項目名】００４４
【補正方法】変更
【補正の内容】
【００４４】
また、この発明に係るディジタル放送送受信システムは、ディジタル放送の放送データを送信する送信手段と、通信呼び出し時に発信者を識別するための発信者識別信号と通信呼び出し信号とを順次発信する、上記ディジタル放送とは異なる通信回線に接続された通知手段と、上記ディジタル放送を通じて、個人に個人宛情報を送信する際に、上記通信回線上における上記個人の送信先を識別し、上記通知手段に、上記個人の送信先に通信呼び出しを行わせる送信先識別手段と、上記個人の送信先によって上記通知手段による通信が遮断されたか否かを判別できるとともに、上記通知手段による通信の呼び出し信号が遮断されるまでの通信呼び出し時間をカウントできる判別手段とを備えたディジタル放送送信システムと、ディジタル放送の放送データを受信する受信手段と、上記通知手段からの通信呼び出しを識別するための発信者識別信号を登録した記憶手段、上記受信手段の電源状態を識別し保持する電源状態識別手段、上記通信回線より発信者識別信号に続いて入力される通信呼び出し信号の呼び出し時間をカウントするカウント手段、及び上記通信回線による通信を遮断する通信遮断手段を備え、上記通信回線より入力される発信者識別信号と、上記記憶手段に登録された発信者識別信号とを比較し、入力される発信者識別信号と一致するものがある場合には、通信呼び出し信号を上記カウント手段でカウントし、上記電源状態識別手段に保持されている識別情報を基に、上記受信手段の電源状態を判断し、上記カウント手段によりカウントした通信呼び出し時間が上記電源状態に応じた所定の呼び出し時間になった時点で上記通信遮断手段により通信を遮断し、一致するものがない場合には、通信回線を他の通信装置と接続する電源状態識別装置を有するディジタル放送受信システムとからなり、上記判別手段は、上記受信手段の電源状態と通信呼び出しが遮断されるまでの呼び出し時間との関係を示す情報を登録しており、該登録された情報と上記通信呼び出しの遮断結果とを比較して上記受信手段の電源状態を判断するものであり、上記送信手段は、上記判別手段により判別された受信手段の電源状態に基づいて、個人宛情報を送信するか否かを決定するようにしたものである。
【手続補正７】
【補正対象書類名】明細書
【補正対象項目名】０１１２
【補正方法】変更
【補正の内容】
【０１１２】
また、この発明によれば、上記記憶手段は、この電源制御装置により電源オンまたはオフの制御が行われる上記所定の装置の所定の処理に対応した発信者識別信号を登録しており、上記分配器は、登録された発信者識別信号と、入力される発信者識別信号とが一致する場合には、この一致した発信者識別信号に対応する上記所定の処理を上記所定の装置に行わせるための制御信号を上記所定の装置に出力するようにしたから、上記所定の装置の電源制御以外の所定の処理を、通信回線を介して制御することができる効果がある。
【手続補正８】
【補正対象書類名】明細書
【補正対象項目名】０１１３
【補正方法】変更
【補正の内容】
【０１１３】
また、上記分配器は、所定の通信回線より発信者識別信号に続いて入力される通信呼び出し信号による通信の呼び出し時間をカウントするカウント手段を備え、上記記憶手段は、通信呼び出し時間の情報を複数登録しており、上記分配器は、入力される発信者識別信号と一致する発信者識別信号が登録されている場合には、カウント手段のカウント結果と、記憶手段に登録されている通信呼び出し時間情報とを比較して、一致した通信呼び出し時間情報に対応した電源制御信号を出力し、上記電源制御部は、入力される各電源制御信号に応じて、電源をオンする制御、またはオフする制御のいずれかを行うようにしたから、一つの発信者識別信号により、所定の装置の電源制御ができる効果がある。
【手続補正９】
【補正対象書類名】明細書
【補正対象項目名】０１１４
【補正方法】変更
【補正の内容】
【０１１４】
また、この発明によれば、上記記憶手段は、この電源制御装置により電源オンまたはオフの制御が行われる上記所定の装置の所定の処理に対応した通信呼び出し時間の情報を登録しており、上記分配器は、上記カウント手段のカウント結果が、上記記憶手段に登録されている上記所定の装置の所定の処理に対応した通信呼び出し時間情報と一致した場合に、この一致した呼び出し時間に対応する所定の動作を上記所定の装置に行わせるための制御信号を上記所定の装置に出力するようにしたから、上記所定の装置の電源制御以外の所定の処理を、通信回線を介して制御することができる効果がある。
【手続補正１０】
【補正対象書類名】明細書
【補正対象項目名】０１１５
【補正方法】変更
【補正の内容】
【０１１５】
また、この発明によれば、上記所定の装置の所定の動作が終了したことを判別して、上記所定の装置の電源をオフにするための電源制御信号を上記電源制御部に出力する終了判別手段を備えるようにしたから、所定の装置の電源制御を行う際には、電源オンの制御を行う場合にのみ発信者信号を送信すればよく、電源制御を容易にすることができる効果がある。
【手続補正１１】
【補正対象書類名】明細書
【補正対象項目名】０１３８
【補正方法】変更
【補正の内容】
【０１３８】
また、この発明に係るディジタル放送送受信システムによれば、ディジタル放送の放送データを送信する送信手段と、通信呼び出し時に発信者を識別するための発信者識別信号と通信呼び出し信号とを順次発信する、上記ディジタル放送とは異なる通信回線に接続された通知手段と、上記ディジタル放送を通じて、個人に個人宛情報を送信する際に、上記通信回線上における上記個人の送信先を識別し、上記通知手段に、上記個人の送信先に通信呼び出しを行わせる送信先識別手段と、上記個人の送信先によって上記通知手段による通信が遮断されたか否かを判別できるとともに、上記通知手段による通信の呼び出し信号が遮断されるまでの通信呼び出し時間をカウントできる判別手段とを備えたディジタル放送送信システムと、ディジタル放送の放送データを受信する受信手段と、上記通知手段からの通信呼び出しを識別するための発信者識別信号を登録した記憶手段、上記受信手段の電源状態を識別し保持する電源状態識別手段、上記通信回線より発信者識別信号に続いて入力される通信呼び出し信号の呼び出し時間をカウントするカウント手段、及び上記通信回線による通信を遮断する通信遮断手段を備え、上記通信回線より入力される発信者識別信号と、上記記憶手段に登録された発信者識別信号とを比較し、入力される発信者識別信号と一致するものがある場合には、通信呼び出し信号を上記カウント手段でカウントし、上記電源状態識別手段に保持されている識別情報を基に、上記受信手段の電源状態を判断し、上記カウント手段によりカウントした通信呼び出し時間が上記電源状態に応じた所定の呼び出し時間になった時点で上記通信遮断手段により通信を遮断し、一致するものがない場合には、通信回線を他の通信装置と接続する電源状態識別装置を有するディジタル放送受信システムとからなり、上記判別手段は、上記受信手段の電源状態と通信呼び出しが遮断されるまでの呼び出し時間との関係を示す情報を登録しており、該登録された情報と上記通信呼び出しの遮断結果とを比較して上記受信手段の電源状態を判断するものであり、上記送信手段は、上記判別手段により判別された受信手段の電源状態に基づいて、個人宛情報を送信するか否かを決定するようにしたから、受信手段の電源状態を遠隔地から確認して、個人宛情報を送信するか否かを決定でき、不要な送信をなくすことができるとともに、受信手段の電源がオン状態の時をディジタル放送送信システムが識別して個人宛情報を送信することで、受信手段の電源を非視聴時にオンしておく必要がなくなり、省エネルギー化を図ることができる効果がある。さらに、通信回線を、課金が発生する通話状態とすることなく、発信者識別信号を用いて受信手段の電源状態を識別することにより、識別の際の通信にかかる経費を削減できる効果がある。さらに、発信者識別信号により、電源状態識別のための通信呼び出しと、通常の通信呼び出しとを識別して、一本の通信回線を電話器等の上記他の通信装置との間で切りかえるため、電源状態識別のための通信呼び出し信号で、受信者に迷惑をかけることをなくすことができる。